(57)【要約】【課題】コーナー部を備える既設配管にも、より長い距離での通線が可能な通線方法を提供する。【解決手段】本通線方法では、配管３０の入り口３２から、剛性を備えるパイプ１０を配管に挿入す。次に、パイプ１０の内部にパイプ１０より柔軟な線条部材２０を挿入して配管３０の入り口３２から配管の出口３３まで通す。その後、線条部材２０に通線しようとするケーブル４０を接続して線条部材２０を引き戻す。パイプ１０は、配管３０、または既設ケーブル７等との間での摩擦に抗して容易に配管３０に挿入でき、パイプ１０の内部に線条部材２０を通すことによって線条部材２０にかかる抵抗を小さくして、線条部材２０を配管の出口３３側に容易に案内できる。また、パイプ１０の先端に可撓性を付与して、コーナー部３６で湾曲させることにより、コーナー部３６でかかる抵抗を低減できる。【選択図】図５
2004147429.tif 000002
【特許請求の範囲】
【請求項１】
配管に通線する方法であって、
配管の入り口から、剛性を備えるパイプを配管に挿入する工程と、
このパイプの内部に当該パイプより柔軟な線条部材を挿入して配管の入り口から配管の出口まで通す工程と、
この線条部材に通線しようとする線を接続して線条部材を引き戻す工程と
を備える通線方法。
【請求項２】
前記パイプの挿入工程では、パイプを少なくとも配管の入り口側から最初のコーナー部まで挿入する、請求項１に記載の通線方法。
【請求項３】
パイプを、複数の管状部材を長手方向に連結して構成し、配管への挿入量に合わせた長さに形成する、請求項１または２に記載の通線方法。
【請求項４】
パイプは、少なくとも先端部分に可撓性を備えており、
前記パイプの挿入工程では、パイプの先端部分を配管の入り口側の最初のコーナー部に圧接して湾曲させる、請求項１から３のいずれかに記載の通線方法。
【請求項５】
配管への通線用具であって、
剛性を有する連結自在な複数の管状部材から構成されているパイプと、
このパイプより柔軟で、パイプの内部を挿通可能にパイプより長く形成されている線条部材と
を備える通線用具。
【発明の詳細な説明】
【０００１】
【発明の属する技術分野】
この発明は、既設の配管にケーブル等の線を通す方法及び通線用具に関する。
【０００２】
【従来の技術】
電気通信機器の普及、発展により、既設の建造物中に光ファイバーケーブル等、新たな配線を施工する必要、要望が増えてきている。ケーブル等の線は、通常、収容管に収容されており、追加されるケーブルもこの管内に配線することが一般的である。既設の収容管に、既設ケーブルを配置したまま新たなケーブルを通線する方法には、収容管に適宜設けられている開放口から通線用の線条部材（通線ロッド）を押し込んで他の開放口まで通し、この通線ロッドの先端に新たに配線するケーブルの先端を取り付けて通線ロッドを引き戻してケーブルを引きこむ方法がある。しかし、通線ロッドは、ワイヤなど柔軟な材料で形成されているため、押し込み時に、配管の内壁との接触や配管と既設ケーブルとの隙間に入り込むことで押し込みにかかる摩擦が増大し、波打ち状に変形して動かなくなってしまう。そこで、所望の距離まで通線ロッドを通すために、柔軟な線条部材に代えて、変形しない高剛性の長軸部材を収容管内に通す方法が考えられている（例えば、特許文献１参照。）。
【０００３】
【特許文献１】
特開平１０−１０８３３０号公報
【０００４】
【発明が解決しようとする課題】
この高剛性の長軸部材は、直線状に延びる収容管に通線する場合には有効であるが、ビルなどの建築物内の収容管のように、複数のコーナー部を有する収容管には利用できない。また、収容管のコーナー部は、線条部材の押し込みにおいて多大な負荷が発生しやすい部分であり、線条部材のコーナー部を通る部分にかかる摩擦によって、線条部材が移動しなくなることがある。したがって、２以上のコーナー部を備える収容管には、線条部材を押し込む方法によって新しいケーブルを通すことができないのが実情である。
【０００５】
そこで、本発明では、コーナー部を備える既設配管にも、より長い距離での通線が可能な通線方法を提供することを課題とする。
併せて、コーナー部を備える既設配管にも、より長い距離での通線が可能な通線用具を提供することを課題とする。
【０００６】
【課題を解決するための手段】
上記課題を解決するため、本願の第１発明である配管に通線する方法は、配管の入り口から、剛性を備えるパイプを配管に挿入する工程と、このパイプの内部に当該パイプより柔軟な線条部材を挿入して配管の入り口から配管の出口まで通す工程と、この線条部材に通線しようとする線を接続して線条部材を引き戻す工程とを備えるものである。
この方法によれば、剛性を備えるパイプは、配管、または既設ケーブル等との間での摩擦に抗して容易に配管内に挿入できる。そして、このパイプの内部に線条部材を通すことによって、線条部材にかかる抵抗を小さくして、パイプに沿って線条部材を配管の出口側に容易に案内することができる。これにより、線条部材をより長い距離まで挿入したり、より柔軟な線条部材をコーナー部分や湾曲した部分等に通したりすることが可能である。したがって、配管の出口まで通した線条部材にケーブル等の線を接続して引き戻すことによってより長い距離にわたる通線ができる。特に、既設ケーブルの存在に関わらず、良好に通線することが可能で、１の配管に対して複数条のケーブルを時差をもって配線することができる。
【０００７】
また、本願の第２発明は、この通線方法において、前記パイプの挿入工程では、パイプを少なくとも配管の入り口側から最初のコーナー部まで挿入するものである。
この方法では、パイプを入り口側の最初のコーナー部まで挿入することで、パイプによって線条部材を最初のコーナー部まで案内させることができる。したがって、線条部材を最初のコーナー部までより小さい力でスムーズに通すことができ、線条部材をより長い距離まで通したり、より出口側のコーナー部に通すことが容易となる。
【０００８】
また、本願の第３発明は、これらのいずれかの通線方法において、パイプを、複数の管状部材を長手方向に連結して構成し、配管への挿入量に合わせた長さに形成するものである。
この方法によれば、パイプを配管の形状に合わせた長さに調節してパイプをより長く挿入することができる。また、パイプを継ぎ足しながら順次配管に挿入する方法を用いることにより、より小さいスペースで作業することができ、作業性を向上できる。
【０００９】
さらに、本願の第４発明は、これらのいずれかの通線方法において、さらに、パイプは、少なくとも先端部分に可撓性を備えており、前記パイプの挿入工程では、パイプの先端部分を配管の入り口側の最初のコーナー部に圧接して湾曲させるものである。
この方法では、最初のコーナー部に、パイプの先端部分が湾曲した滑らかな案内経路を形成することができ、線条部材をより小さい抵抗でコーナー部に通すことができる。したがって、パイプの先端部分を越えて、線条部材をより長い距離まで通したり、その先のコーナー部に通すことが容易となる。
【００１０】
また、本願の第５発明は、配管への通線用具であって、剛性を有し、長手方向の端部で互いに連結可能な複数の管状部材から構成されているパイプと、このパイプより柔軟で、パイプの内部を挿通可能にパイプより長く形成されている線条部材とを備えるものである。
この用具を用いることにより、上述の通線方法によって既設の配管にケーブル等を容易に通線することができる。
【００１１】
【発明の実施の形態】
本発明の通線方法及び通線用具は、種々の配管内にケーブル等の線を通す（本明細書において「通線する」とも言う）ときに使用するものであり、建造物の内部に限定されず、地下通路等の土木構造体や、船、列車などの乗り物内などの配管に使用できる。そして、特に、ケーブル等の線が既に配線されている配管内への通線において、最もその効果が発揮されるものである。また、コーナー部を備える配管内に通線するのに好適に使用できる。
【００１２】
図１に、本発明に係る通線用具の一実施形態を示す。通線用具１は、建築物内の、既にケーブルが設けられている配管に新たなケーブルや電線等の線を通すための通線用具であり、特に、コーナー部を１または２ヵ所備える配管への通線に好適である。通線用具１は、パイプ１０と、環状に束ねられている線条部材２０とを備えている。
【００１３】
パイプ１０は、複数の互いに連結可能な管部材１２から構成されており、管部材１２が所望の長さに連結されて形成される管状部材である。管部材１２は、それぞれ、ほぼ同一の断面形状を備える筒状に形成されており、長手方向の端部で互いに連結および連結解除できるように形成されている。
【００１４】
管部材１２どうしの連結構造は、連結と連結解除とが可能な公知の形態で、例えば、凹部と凸部との係合、粘着テープや粘着剤などによる固着とすることができる。連結用部材が管部材１２に一体に設けられていると、部品点数が少なくなり、好ましい。また、連結部分は、配管内での直進性を維持させるためには、固定されていることが好ましい。なお、連結部分を任意または所定の方向に曲げ可能に形成して、パイプ１０を屈曲可能に形成して、配管への抜き挿しや配管形状への対応がしやすく形成しても良い。
図２に示す管部材１２は、両端に連結用部材としての雄ネジ部材１４と雌ネジ部材１５とを備えており、連結部分を固定状態で連結可能となっている。
【００１５】
パイプ１０は、概ね直線形状を維持できる程度の剛性を有しており、好ましくは、少なくとも一端部に可撓性が付与されている。パイプに付与される可撓性は、配管へ挿入するときにパイプにかける力より大きい力で撓む程度の可撓性である。このような可撓性を備える管部材１２の例は、塩化ビニル製の管部材である。パイプ１０の可撓性は、通線しようとする配管の剛性や摩擦特性などに合わせて、より遠くまで挿入しやすい剛性及び可撓性を備えるものが選択されることが好ましい。
【００１６】
パイプ１０は、通線時に配管に挿入される先端部分（または先端を構成する管部材）のみが可撓性を備えていると、直線性が良好に維持される。一方、パイプ１０の全体が可撓性を備えていると、例えば、図６に示すように配管への抜き挿しが壁３などの他部材に阻害されることを撓みによって回避したり、曲率半径の大きいコーナー部や鈍角のコーナー部に通せるようにしたりできる。
【００１７】
線条部材２０は、パイプ１０より柔軟で、パイプ１０の内部を挿通可能、かつパイプ１０より長く形成されている。線条部材２０は、パイプ１０の内径より小さい外径に形成されて、配管の形状に沿って変形できる柔軟性を備えている。線条部材２０は、ワイヤなど従来の通線ロッドとすることができる。
【００１８】
次に、図３〜６を参照してこの通線用具１を用いて配管にケーブル等の線を通線する方法について説明する。
ここで、図３〜６に示す配管３０は、建物内部の壁３に沿って延びており、２つのコーナー部３６，３７を備えている。また、図３中、コーナー部３６より左側とコーナー部３７より右側に、それぞれ配管３０の内部に連通する開口（３２，３３）を備えている。本方法の説明において、左側の開口を入り口３２、右側の開口を出口３３とする。また、配管３０には、既設のケーブル７が配線されている。以下、この入り口３２から出口３３まで通線する方法について説明する。
【００１９】
まず、図３に示すように、配管３０の入り口３２からパイプ１０を挿入する。作業スペースを低減するために、配管３０内に挿入しながら必要な数の管部材１２を連結していくことが、好ましい。なお、複数の管部材１２を連結して所定の長さのパイプ１０に形成してから配管３０内に挿入しても良く、挿入作業の時間を短縮できる。
【００２０】
パイプ１０は、できるだけ長く挿入する。また、配管３０がコーナー部を備える形状では、図３に示すように、パイプ１０を少なくとも最初のコーナー部まで挿入することが好ましい。本実施形態では、パイプ１０は、先端部分に可撓性を備えており、先端部分をコーナー部３６に圧接することで湾曲させることができる。これにより、コーナー部３６に配管３０の伸長方向に対応して湾曲する案内経路を形成することができる。
【００２１】
次に、線条部材２０をパイプ１０の内部に通し、図４に示すように、配管３０の出口３３まで通す。パイプ１０の内部では、線条部材２０により小さい抵抗しか加わらないため、線条部材２０をより小さい力でパイプ１０の先端まで通すことができ、容易にコーナー部３６を通り越させることができる。また、パイプ１０は、コーナー部３６の手前までは直線状に延びているため、線条部材２０を配管３０の入り口３２からコーナー部３６まで比較的短い経路で通すことができる。
【００２２】
パイプ１０の先端を通り抜けた線条部材２０は、押し込みによって配管３０に沿って出口３３側に進む。押し込みの力は、線条部材２０の先端側まで良好に伝達されるため、線条部材２０を入り口３２から２番目のコーナー部３７に押し込みによって通すことができる。
コーナー部３７を通り抜けた後、さらに線条部材２０を押し込む等することにより、図４に示すように、線条部材２０を出口３３まで通すことができる。
【００２３】
次に、出口３３で、通線しようとするケーブル等の線を線条部材２０に接続する。本実施形態では、図５に示すように、パイプ１０の内径より大きい接続部材２５を介してケーブル４０を線条部材２０の先端に取り付けた。なお、接続部材２５は、種々の構成で良く、例えば、図７（ａ）に示すように、ケーブル等の線を接続可能な孔部２７を備える接続部材２５ａが線条部材２０の先端に固定されていても良い。あるいは、図７（ｂ）に示すように、先端部分に螺旋状のばね部２８とばね部２８の先端に設けられてケーブル等の線を接続できるリング２９とを備える接続部材２５ｂが、ばね部２８が線条部材２０の先端部分に巻き付けられて固定されていても良い。
【００２４】
線条部材２０にケーブル４０を接続後、図５に示すように、線条部材２０を入り口３２側に引き戻すことにより、線条部材２０の先端に接続されたケーブル４０を配管３０内に引き込む。
【００２５】
線条部材２０の先端がパイプ１０の先端まで戻ると、接続部材２５がパイプ１０の先端に引っかかる。このまま線条部材２０を引張ると、図６に示すように、接続部材２５にパイプ１０を係止して、線条部材２０とともにパイプ１０を入り口３２に引き戻すことができる。
線条部材２０を入り口３２まで引き戻すことで、ケーブル４０を出口３３から入り口３２まで引き込むことができ、通線が完了する。本方法では、このとき、パイプ１０の配管３０からの引き戻しも完了している。
【００２６】
この通線方法では、より剛性の大きいパイプ１０を配管３０に挿入して線条部材２０にかかる抵抗が軽減された案内経路を確保する。すなわち、パイプ１０の内部は、配管３０内の既設のケーブル７から隔絶されており、かつ断面円形状で比較的小径であるため、線条部材２０は、波打ち形状等に変形し難く、摩擦抵抗が低減されている。これにより、線条部材２０を配管３０により長い距離まで挿入できる。特に、既設のケーブル７が設けられている配管３０内においても、ケーブル７によって線条部材２０の通線が妨げられず、良好に線条部材２０を通すことができる。
【００２７】
特に、パイプ１０の可撓性を備える先端部分をコーナー部３６に圧接して湾曲させて配置することにより、コーナー部３６で線条部材２０に加わる抵抗を大幅に軽減した案内経路を形成できる。これにより、線条部材２０の挿入可能距離を延長できる。また、コーナー部３６を通り抜けた線条部材２０の先端部分に押し込みの力を良好に伝達して出口３３側のコーナー部３７に線条部材２０を通すことができ、出口３３まで良好に通線できる。
【００２８】
また、線条部材２０の出口３３側端部にパイプ１０の内径より大きい部材（本実施形態では接続部材２５）を取付けて線条部材２０を引き戻すことにより、線条部材２０の引き戻し作業によってパイプ１０を引き戻すことができ、作業時間を短縮したり、作業労力を低減したりできる。
【００２９】
本発明に係る通線用具および通線方法は、上記実施形態に限定されない。
例えば、通線方法では、パイプ１０は、線条部材２０を入り口３２から出口３３まで通した後の任意の時期に引き戻すことができる。例えば、パイプ１０を通線完了後に引き戻しても良い。この場合、線条部材２０にパイプ１０の内部を挿通可能な接続構造でケーブル４０を接続する。パイプ１０内にケーブル４０を引き込む形態では、引き込みすなわち線条部材２０の引き戻しに要する力を軽減できる。
【００３０】
また、線条部材２０を入り口３２から出口３３まで通線した後、パイプ１０を入り口３２まで引き抜いてから線条部材２０を引き戻しても良い。図３のようにパイプ１０の先端部分をコーナー部３６で湾曲させて配置する方法では、好ましくは、線条部材２０をコーナー部３６より出口３３側のコーナー部（例えばコーナー部３７）から引き戻した後でパイプ１０を引き戻す。これにより、引き戻しに要する力を低減できる。より好ましくは、線条部材２０の先端部分がコーナー部３６を通る時点以降にパイプ１０をコーナー部３６から引き抜く。
【００３１】
なお、パイプは、通線作業時、配管内に直線状に配置されていても良いことはもちろんである。また、パイプは配管の形状に合わされるため、２以上の管部材を連結することなく１の管部材で構成されても良いことは、言うまでもない。
また、線条部材にグリースを塗布しておくなど、従来の方法と組合わせても良い。これにより、線条部材の挿入可能距離を延長したり、より多くのコーナー部を通せるようにすることができる。
【００３２】
また、パイプ（管状部材）は、図２に示すように閉環状の断面に限定されない。網状部材のように周面に内外に貫通する孔部分を備える材質や形状でも良い。例えば、スリット状の隙間を備える開環状の断面に形成されていても良く、隙間から線条部材をパイプの内外に出し入れ可能に形成されても良い。このパイプでは、配管より引き戻した管部材から線条部材２０を順次取り出して、連結解除することができ、作業スペースを低減して引き戻し作業が行える。
また、パイプの内外面は滑面に限定されず、配管やケーブル、線条部材等との接触面積が小さくなる凹凸部や粗面を備える外面に形成されていても良い。また、外面に、パイプが配管と既設ケーブルとの隙間に入り込むことを防ぐ突起などを備えていても良い。また、パイプを構成する管部材は、長手方向あるいは周方向に可撓性が変化されていても良い。
【００３３】
【発明の効果】
本発明では、コーナー部を備える既設配管にも、より長い距離での通線が可能な通線方法および通線用具を提供することにより、種々の既設配管への通線作業が可能となる。
【図面の簡単な説明】
【図１】本発明の一実施形態に係わる通線用具を示す斜視図である。
【図２】図１の通線用具のパイプを示す断面図である。
【図３】図１の通線用具を使用して、配管にパイプを配置したときの断面図である。
【図４】図１の通線用具を使用して、パイプ内に線条部材を挿入して配管の開放部まで通したときの断面図である。
【図５】図１の通線用具を使用して、先端にケーブルが接続された線条部材を引き戻してケーブルを通線するときの断面図である。
【図６】図１の通線用具を使用して、先端にケーブルが接続された線条部材を引き戻してケーブルを通線するとともにパイプを引き戻すときの断面図である。
【図７】線条部材に取り付けられる接続部材の例を示す斜視図である。
【符号の説明】
１　通線用具
３　壁
７　既設のケーブル
１０　パイプ
１２　管部材
１４　雄ネジ部材
１５　雌ネジ部材
２０　線条部材
２５　接続部材
２７　孔部
２８　ばね部
２９　リング
３０　配管
３２　入り口
３３　出口
３６，３７　コーナー部
４０　ケーブル
【図１】
2004147429.tif 000003
【図２】
2004147429.tif 000004
【図３】
2004147429.tif 000005
【図４】
2004147429.tif 000006
【図５】
2004147429.tif 000007
【図６】
2004147429.tif 000008
【図７】
2004147429.tif 000009